(57)【要約】【課題】符号化された音声データを有するコンテンツ再生時に、出力機側のデコード再生情報などを元に再生条件を選択する。【解決手段】再生機１０が複数の符号化された音声データを有するコンテンツを再生する場合、利用者がどの符号化方式を再生するかを意識せずとも、再生機１０がデジタルインターフェースを介して出力機２０側の機器固有情報部１１から音声再生条件を示す情報を獲得することによって、再生機１０の再生音声の符号化方式を選択するとともに、出力機２０側で受信再生できる出力データフォーマット形式に変換して出力する。【選択図】図１
2006294120.tif 000002
【特許請求の範囲】
【請求項１】
符号化された音声データを再生する再生手段と、接続された機器から音声再生条件を特定する情報を受けて、前記再生手段が再生する復号化音声種別を切り替える制御手段とを備えることを特徴とする音声再生装置。
【請求項２】
前記制御手段は、さらに前記機器が有する音声再生チャンネル情報を受けて、再生する音声チャンネル数を切り替える送信手段を備えることを特徴とする請求項１記載の音声再生装置。
【請求項３】
前記制御手段は、さらに前記機器が有する音声再生サンプリング情報を受けて、再生するサンプリング周波数を切り替える送信ことを特徴とする請求項１記載の音声再生装置。
【請求項４】
前記機器が有する音声再生条件とは、復号可能なオーディオデコーダ種別情報であることを特徴とする請求項１に記載の音声再生装置。
【請求項５】
前記機器とはデジタルインターフェースのＨＤＭＩで接続されていることを特徴とする請求項１から請求項３のいずれかの請求項に記載の音声再生装置。
【請求項６】
前記機器とはデジタルインターフェースのＩＥＥＥ１３９４で接続されていることを特徴とする請求項１から請求項３のいずれかの請求項に記載の音声再生装置。
【請求項７】
前記機器の音声再生条件及び前記機器を特定する機器情報を記録する記憶手段をさらに備え、前記機器に接続の際に、前記記憶手段に記録された機器情報と比較することにより、以前に接続された機器情報と一致すれば、前記再生手段が前記記憶手段内に記録された音声再生条件にて再生することを特徴とする請求項１から請求項３のいずれかの請求項に記載の音声再生装置。
【請求項８】
前記機器が音声データを復号化できる場合は、前記再生手段は圧縮符号化された音声データを出力することを特徴とする請求項１の音声再生装置。
【請求項９】
前記再生手段は符号化方式を変更して再生する符号化変換をさらに備えることを特徴とする請求項１記載の音声再生装置。
【請求項１０】
前記再生手段は、コンテンツから圧縮符号化された圧縮ビットレート数の高い方式を有する音声データを優先して出力することを特徴とする請求項１の音声再生装置。
【請求項１１】
前記再生手段は、コンテンツから音声再生チャンネル情報の多い音声データを優先して出力することを特徴とする請求項２記載の音声再生装置。
【請求項１２】
前記再生手段は、音声再生条件が非圧縮符号化されている符号化方式で、かつ音声再生チャンネル情報が３チャンネル以上であれば、非圧縮符号化された音声データを出力することを優先して出力することを特徴とする請求項２記載の音声再生装置。
【請求項１３】
前記再生手段は、音声再生条件が可逆圧縮符号化されている符号化方式で、かつ音声再生チャンネル情報が３チャンネル以上であれば、可逆圧縮符号化された音声データを優先して出力することを特徴とする請求項２記載の音声再生装置。
【請求項１４】
前記再生手段は、コンテンツから音声再生サンプリングレートの高い音声データを優先して出力することを特徴とする請求項３記載の音声再生装置。
【発明の詳細な説明】
【技術分野】
【０００１】
本発明は、圧縮符号化されたオーディオデータを、デジタルインターフェース等により接続された出力機器と連携して再生する音声再生装置に関するものである。
【背景技術】
【０００２】
従来、圧縮符号化されて記録されたビデオ信号およびオーディオ信号をＣＤ−ＲＯＭ、ＤＶＤ−ＲＯＭ、ハードディスク等の記録媒体から読み出し、デコード（伸張）して出力するデータ再生装置が知られている。データ再生装置が伸張されたデータをその装置に接続されたモニタ、音響スピーカ等に送ることにより、ビデオおよびオーディオの再生が実現される。
【０００３】
圧縮符号化に関しては、多くの規格が規定されている。例えばＭＰＥＧ（ＭｏｔｉｏｎＰｉｃｔｕｒｅ  Ｅｘｐｅｒｔｓ  Ｇｒｏｕｐ）は、ビデオ信号およびオーディオ信号
の両方を圧縮符号化する規格として知られている。
【０００４】
以下従来の再生システムや再生方法について説明する。なお、出願人は、特許文献１、特許文献２、及び特許文献３に開示されているオーディオ機器、制御装置、映像受信システムを認識しており、本発明の課題を明確にするために、先行技術の内容を従来例として、簡単に説明する。
【０００５】
まず特許文献１における従来のオーディオ機器について説明する。図１１は、この機器の構成を示すための説明図である。図１１のオーディオ機器の音声処理の流れは以下のとおりである。外部ソース機器側(図示せず)からのエンコードデジタル信号を、デスティネーション側のオーディオ機器のデジタル・インターフェース・レシーバ２０２より入力し、複数のエンコードデジタル信号のデコードに対応するデジタル信号処理装置２０４にてデコードと音場再生信号処理を施して、Ｄ／Ａ（Ｄ／Ａコンバータの略称）２０５から再生音声信号を出力するものである。この機器の場合、種々のエンコードされたデジタル信号の中から、特定のエンコードデジタル信号かを判別し、特定されたエンコードデジタル信号に適した音場再生モードに基づく信号処理を実行するものである。例えば、ＡＶアンプのようなオーディオ機器において、光（Ｏｐｔｉｃａｌ）ケーブルもしくは同軸（Ｃｏａｘｉａｌ）ケーブルなどにより入力されたエンコードデジタル信号に種別に従って、デコード処理を施すものである。
【０００６】
次に特許文献２における従来の制御装置及び制御方法について説明する。ＩＥＥＥ１３９４ケーブルから入力された音声データをデコードする音声デコーダと、音声デコーダから出力された音声信号を出力する音声データ出力部と、ＩＥＥＥ１３９４インターフェースの制御を行うＣＰＵから構成されるものである。この制御装置の場合には、ＩＥＥＥ１３９４インターフェースから入力されるバス上の信号から、制御機器に接続される相手側のソース機器側の再生機器エンコードデジタル信号の種別を格納した機器固有データを持ち、デスティネーション機器側の制御機器がその機器固有データを読み込んだ上で、バス上のエンコードデジタル信号が、デコード可能な種別であるならば、バス上から信号を取り込み、デコード処理を施してデコード音声を出力するものである。
【０００７】
これらは全て、ソース機器側から、特定のエンコードデジタル信号を供給し、デスティネーション機器側が、受信されたエンコードデジタル信号をデコード再生するものであった。特許文献１のオーディオ機器においては、デスティネーション機器であるオーディオ機器が、入力されたエンコードデジタルデータの種別によってデコード音声及び、音場再生モードを決定する。特許文献２の制御装置においては、ソース機器側から機器固有情報を獲得し、デコード可能なエンコードデジタル信号がバス上をながれている場合、それを入力し、デコード再生する。
【０００８】
また特許文献３における映像受信システムについて説明する。図１２は、このシステムの構成を示す説明図である。図１２の映像受信システムの処理の流れは以下のとおりである。テレビ１００の選局動作により、テレビ１００に接続されたセットトップボックス（以下ＳＴＢと略す）であるＳＴＢ１１２より出力される映像及び音声信号へ入力を切り替えるとともに、さらにＳＴＢ１１２側の選局動作をも行えるものである。これは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等で接続されているソース機器側のＳＴＢ１１２の情報を、デスティネーション機器側のテレビ１００側が入手し、ソース側のチューナ選局操作を行う制御を、ＨＤＭＩを介してデスティネーション機器側の操作により、操作を簡便に行おうとするものである。
【特許文献１】特開平９−１３０８９８号公報（第３−６頁、第１図、第２図）
【特許文献２】特開２０００−１５１７５２号公報（第３−５頁、第１図、第３図、第４図）
【特許文献３】特開２００４−３０４２２０号公報（第６−１６頁、第１図）
【発明の開示】
【発明が解決しようとする課題】
【０００９】
デスティネーション側でデコードできないエンコードデジタル信号がソース側から送られてきた場合、デスティネーション機器側はその音声を再生することができないという課題を解決するものではなかった。特許文献３の映像受信システムにおいては、一歩進んで、デスティネーション機器側から、ソース機器側の選局動作までの制御を行うものであったが、これはエンコードデジタル信号のデコード再生条件を変更するものではなく、あくまで選局チャンネルを変更するものであった。よって、選局により特定した番組がデスティネーション側でデコード可能なエンコードデジタル信号でなければ、やはりデコードして音声を再生することができない。
【００１０】
本発明は、以上のような課題を解決するためになされたもので、ソース側が、デスティネーション側での再生可能なデコード条件を獲得することにより、エンコードデジタル信号を選択再生する機能を有することで、デスティネーション機器側でデコード再生できる装置を提供するものである。
【課題を解決するための手段】
【００１１】
第１の本発明（請求項１に対応）による音声再生装置は、符号化された音声データを再生する再生手段と、接続された機器から音声再生条件を特定する情報を受けて、前記再生手段が再生する復号化音声種別を切り替える制御手段を備えるもので、音声出力手段側で復号化できる音声データを再生手段側で選択することができるため、利用者が再生手段側を操作せずとも、音声出力手段の再生条件にあった音声再生を可能とするものである。
【００１２】
第２の本発明（請求項２に対応）による音声再生装置は、前記制御手段は、さらに前記機器が有する音声再生チャンネル情報を受けて、再生する音声チャンネル数を切り替えるもので、音声出力手段側で備えている出力チャンネル数を再生手段側で選択することができるため、利用者が再生手段側でチャンネル数設定を変更せずとも、音声出力手段の再生条件にあった音声再生を可能とするものである。
【００１３】
第３の本発明（請求項３に対応）による音声再生装置は、前記制御は、さらに前記機器が有する音声再生サンプリング情報を受けて、再生するサンプリング周波数を切り替えるもので、音声出力手段に伝送する伝送条件や音声出力手段側のデジタルアナログコンバータ（以下ＤＡＣ）のサンプリング周波数条件を再生手段側で獲得したうえで、出力することができるため、再生手段側でできるだけ高いサンプリングデータを出力が可能となり、高音質再生を可能とするものである。
【００１４】
第４の本発明（請求項７に対応）による音声再生装置は、前記機器の音声再生条件及び前記機器を特定する機器情報を記録する記憶手段をさらに備え、前記機器に接続の際に、前記記憶手段に記録された機器情報と比較することにより、以前に接続された機器情報と一致すれば、前記再生手段が前記記憶手段に記録された音声再生条件にて、再生することを特徴とするもので、音声出力手段を時々利用者が切り替えるようなことがあっても、接続相手機器固有のデータを再生手段側にもっておけるため、接続条件設定の煩雑さを低減するものである。
【００１５】
第５の本発明（請求項８に対応）による音声再生装置は、前記機器が音声データを復号化できる場合は、前記再生手段は圧縮符号化された音声データを出力するもので、前記音声出力手段が復号化できない場合に限り、前記再生手段が非圧縮のデータにデコードして音声を出力することにより、音声出力手段側が圧縮データの復号化に対応していない機器を接続しても、利用者を手間取らせることなく、出力設定を完了できるものである。
【００１６】
第６の本発明（請求項９に対応）による音声再生装置は、前記再生手段は符号化方式を変更して再生する符号化変換手段をさらに備えることにより、再生コンテンツが、先に再生していたコンテンツと異なる方式で符号化された音声データである場合、前記音声出力手段の音声再生条件を満たす条件にて、前記再生手段が再生する復号化音声種別を切り替ることにより、音声出力手段側が圧縮データの復号化が可能な符号化方式で記録された音声データを選択するため、利用者がわざわざ、再度出力条件の設定変更などの手間取らせることなく、出力設定を完了できるものである。
【００１７】
第７の本発明（請求項１０に対応）による音声再生装置は、コンテンツから圧縮符号化された圧縮ビットレート数の高い方式を有する音声データを優先して出力するもので、より高音質で聞きたい利用者のために、圧縮された比率が少ない方式つまり圧縮ビットレートが高くて音声情報量の多い接続設定を自動的に優先するものである。
【００１８】
第８の本発明（請求項１１に対応）による音声再生装置は、コンテンツから音声再生チャンネル情報の多い音声データを優先して音声を出力するもので、利用者によっては、シアター感覚で、できるだけサラウンド再生状況にちかい設定を有効とするものである。
【００１９】
第９の本発明（請求項１２に対応）による音声再生装置は、音声再生条件が非圧縮符号化されている符号化方式で、かつ前記音声再生チャンネル情報が３チャンネル以上であれば、非圧縮符号化された音声データを出力することを優先して出力するもので、非圧縮での高音質再生を優先して選択し、再生を実現するものである。
【００２０】
第１０の本発明（請求項１３に対応）による音声再生装置は、音声再生条件が可逆圧縮符号化されている符号化方式で、かつ前記音声再生チャンネル情報が３チャンネル以上であれば、可逆圧縮符号化された音声データを出力することを優先して出力するもので、圧縮された音声データのなかから、可逆圧縮符号化データを選別するため、より高音質再生を優先して選択し、再生を実現するものである。
【発明の効果】
【００２１】
本発明の音声再生装置は、デスティネーション側である音声出力手段の有する再生可能なデコード条件情報等を獲得することにより、エンコードデジタル信号を選択して再生し、音声データを伝送する機能を有することができる。つまり、利用者が意識せずとも音声出力手段側の出力情報を取得したなかから、再生できるエンコード音声符号化データを選別し、音声出力手段側で受けられるフォーマットに変換できるという利点がある。
【発明を実施するための最良の形態】
【００２２】
（実施の形態１）
はじめに、本発明の実施の形態１による音声再生装置の構成を示すブロック図である図１を主として参照しながら、本実施の形態１の構成について説明する。図１は、再生機１０と、出力機２０からなる構成を示す。再生機１０とは、ＤＶＤプレーヤ、ＤＶＤレコーダ、パーソナルコンピュータ（以下ＰＣと略す）、ＳＴＢ等や、光ディスクに代えてハードディスクを用いたときはハードディスクレコーダなどであり、出力機２０とは、ＡＶアンプやテレビモニタなどのＡＶ出力機器である。
【００２３】
まず、ＡＶ信号処理の流れから説明する。再生機１０内には、ディスク再生部１や、アンテナ部２などの入力機器がある。ディスク再生部１は、例えばＤＶＤ−ＲＯＭ等の光ディスクから光ピックアップを介して読み出されたデータストリームに２値化処理等を行って、デジタルデータストリームとして出力する。アンテナ部２においては、アンテナ等を介してデジタル放送のデータストリームを受信するものである。入力部５は、ディスク再生部１やアンテナ部２から入力されたデジタルデータストリームをビデオデータおよびオーディオデータに分離し、デコード部６では、必要に応じて各々をデコードして映像信号と音声信号からなるＡＶ信号として出力する。
【００２４】
ＡＶ信号は、送信部７から出力機２０へ送出される。送信部７から送出されたＡＶ信号は、出力機２０内の受信部１２より受け取られ、出力部１３へ送られる。
【００２５】
出力部１３は、デコードされる前のエンコードデジタル信号を受けてデコード処理を行い音声信号として再生、もしくは、デコード部６によりデコードされたデコード済みデータを受けて音声信号として再生するものである。
【００２６】
入力部５に入力されるデジタルデータストリームは、ＭＰＥＧなどの方式による各種符号化方式されたコンテンツや、デジタル放送等のデジタル圧縮符号化されたオーディオ・ビデオ信号である。光ディスク装置等や、デジタル放送チューナ装置等からデータの供給を受け、多重化されて記録されているオーディオ・ビデオ信号を分離し、圧縮ビデオデータ及び圧縮オーディオデータの分離とビデオ再生時刻情報とオーディオ再生時刻情報を抽出する入力解析を行うものである。
【００２７】
ＭＰＥＧでは、ビデオおよびオーディオの同期再生を実現するために、ビデオとオーディオの各アクセスユニットと呼ばれるデコードの単位ごと（ビデオは１フレーム、オーディオは１オーディオフレーム）に、いつ再生すべきかの時刻を管理するためのタイムスタンプ値が付加されている。このタイムスタンプ値は、ＰＴＳ（Ｐｒｅｓｅｎｔａｔｉｏｎ    Ｔｉｍｅ  Ｓｔａｍｐ）と呼ばれ、オーディオ用はオーディオＰＴＳ（以下「ＡＰＴＳ」と記述する）およびビデオ用はビデオＰＴＳ（以下「ＶＰＴＳ」と記述する）が規定されている。ＰＴＳが上述のシステム時刻基準ＳＴＣに一致したときに、そのＰＴＳが付加されたアクセスユニットが再生のために出力される。ＰＴＳの精度は、９０ｋＨｚのクロックで計測した値であり、３３ビット長で表されている。９０ｋＨｚで計測する理由は、ＮＴＳＣ、ＰＡＬの両方のビデオ方式のフレーム周波数の公倍数であることと、オーディオの１サンプル周期よりも高い精度を得るためである。
【００２８】
図２は、デコード部６の詳細な機能ブロックの構成例を示す。デコード部６は、入力部５からの入力により、圧縮ビデオバッファ部２２と、ビデオ再生時刻情報管理部２３と、システム時刻基準参照部２４と、ビデオデコード部２５と、圧縮オーディオバッファ部２６と、オーディオ再生時刻情報管理部２７と、オーディオデコード部２８とを有する。
【００２９】
入力部５は、データストリームから、デジタル圧縮符号化されたオーディオおよびビデオデータを分離して抽出するとともに、ビデオパックに付加されたＶＰＴＳをビデオ再生時刻情報として抽出し、オーディオパックに付加されたＡＰＴＳをオーディオ再生時刻情報として抽出する。
【００３０】
まず、ビデオ処理に関する構成要素を説明する。圧縮ビデオバッファ部２２は、入力部５によって分離されたビデオデータを一次格納する。ビデオ再生時刻情報管理部２３は、圧縮ビデオバッファ部２２に格納されたビデオデータとビデオ再生時刻情報を関連づけたテーブルを生成し、管理する。
【００３１】
ビデオデコード部２５は、圧縮符号化されたビデオデータの属性情報（ビデオヘッダ情報）を解析するとともに、圧縮ビデオバッファ部２２に格納されているビデオデータをビデオ再生時刻情報に従ってデコードする。ビデオデコード部２５にはフレームバッファ部３１およびビデオ出力部３２が設けられている。フレームバッファ部３１は、デコードしたビデオデータを格納する。ビデオ出力部３２は、外部へビデオデータを出力する。このビデオデータは、さらに出力機２０に接続される送信部７に出力される。
【００３２】
次に、オーディオ処理に関する構成要素を説明する。圧縮オーディオバッファ部２６は、入力部５によって分離されたオーディオデータを格納することができる半導体メモリである。そのバッファサイズは、取り扱う符号化オーディオデータの圧縮率等によって異なり、例えば数キロバイトから数十キロバイト程度である。オーディオ再生時刻情報管理部２７は、圧縮オーディオバッファ部２６に格納されたオーディオデータとオーディオ再生時刻情報を関連づけるテーブルを生成し、管理する。
【００３３】
オーディオデコード部２８は、圧縮符号化されたオーディオデータの属性情報（オーディオヘッダ情報）を解析するとともに、圧縮オーディオバッファ部２６に格納されているオーディオデータをオーディオ再生時刻情報に従ってデコードする。オーディオデコード部２８にはＰＣＭ（Ｐｕｌｓｅ  Ｃｏｄｅ  Ｍｏｄｕｌａｔｉｏｎ）バッファ部３３およびオーディオ出力部３４が設けられている。ＰＣＭバッファ部３３は、デコードしたオーディオデータを格納する。オーディオ出力部３４は、外部へオーディオデータを出力する。このオーディオデータは、さらに出力機２０に接続される送信部７に出力される。
【００３４】
なお、オーディオ出力部３４に接続された光出力端子からドルビーデジタル方式等のエンコードデジタル信号方式であるストリームのままで出力する場合もある。このような場合、オーディオデコードを実施せずにストリームバッファ（図示せず）に一旦蓄えて、ＳＴＣを参照し、ＡＰＴＳが一致もしくは超過した時点で、オーディオ出力する。
【００３５】
なお、上述のビデオデコード部２３およびオーディオデコード部２８は、各々別々の半導体集積回路等とその制御用のプログラムにより実現することができる。しかし、それぞれの機能を実現できる限り、１つの半導体集積回路等とその制御用のプログラムによって実現してもよい。
【００３６】
次に、ビデオ出力部３２およびオーディオ出力部３４から出力されるビデオデータおよびオーディオデータを、同期して再生するための構成を説明する。デコードタイミングおよび再生タイミングは、システム時刻基準参照部２４によって実現される。
システム時刻基準参照部２４は、再生機１０の内部においてシステム時刻基準ＳＴＣを生成する。ＳＴＣを生成するためには、ＤＶＤディスク等で使用されるプログラムストリーム（ＰＳ）に規定されるＳＣＲ（Ｓｙｓｔｅｍ  Ｃｌｏｃｋ  Ｒｅｆｅｒｅｎｃｅ：システム時刻基準参照値）の値を用いる。ＳＣＲはパックヘッダに記述されている。なお、入力されるデータストリームがＢＳデジタル放送で使用されるトランスポートストリーム（ＴＳ）のときは、ＰＣＲ（Ｐｒｏｇｒａｍ  Ｃｌｏｃｋ  Ｒｅｆｅｒｅｎｃｅ：プログラム時刻基準参照値）が用いられる。
【００３７】
システム時刻基準参照部２４は、ビデオデータの最終バイトの到着時に、ＳＣＲの値をシステム時刻基準ＳＴＣと同じ値に設定する。これにより基準となる時刻を設定することができる。さらに、このＳＴＣの値の設定と、ＰＬＬ（位相ロックループ）回路（図示せず）を組み合わせることにより、デコード部６の基準時刻用システムクロックと完全に周波数が一致したＳＴＣをもつことができる。システム時刻基準ＳＴＣのシステムクロックの周波数は２７ＭＨｚである。このＳＴＣからカウンタ等により分周することにより、各ＰＴＳ（周波数：９０ｋＨｚ）が参照される。
【００３８】
ビデオデコード部２５は、システム時刻基準ＳＴＣがＶＰＴＳに一致したときそのＰＴＳが付加されていたアクセスユニットを出力し再生させる。またオーディオデコード部Ａ４は、ＳＴＣがＡＰＴＳに一致したときにそのＰＴＳが付加されていたアクセスユニットを出力し再生させる。ＰＴＳの周波数は９０ｋＨｚであるから、この精度の範囲内で、ＳＴＣとＶＰＴＳおよびＡＰＴＳとの同期をとれるようにビデオデータおよびオーディオデータの各々をデコードする。これにより、ビデオおよびオーディオの同期再生を実現できる。
【００３９】
ＳＴＣに対して、ＶＰＴＳ及びＡＰＴＳを同期させるよう、ビデオデコード及びオーディオデコードを実施する。特に、ＡＰＴＳにＶＰＴＳが、５０ミリ秒先行から、３０ミリ秒遅延までの間にあわせれば、リップシンクのずれは気にならない程度となる。
【００４０】
送信部７は、デコード部６でデコードされたＡＶデータを受信部１２側に送信する。この送受信を、ＨＤＭＩを例にして説明するが、ＩＥＥＥ１３９４等のデジタルインターフェースでもよい。またＬＡＮなどの有線もしくは無線によるネットワーク回線を用いた場合でもよい。この再生機１０と出力機２０の間のデジタルインターフェースは、音声データを出力機２０側に流すために、出力機２０側の情報を送信する機能を有することが必要である。
【００４１】
次に、送信部７と、受信部１２の構成について、図３を用い、ここではＨＤＭＩを例にして説明する。ＨＤＭＩは、送信部７であるトランスミッタと、受信部１２であるレシーバから成る。トランスミッタは、ＳＴＢやＤＶＤ、ＶＣＲなどの映像音声ソースの再生側であり、レシーバは、ＴＶやディスプレイ、ＡＶアンプなどの出力機側である。
【００４２】
送信部７（図３のソース部８１）では、と、受信部１２（図３のシンク部８２）は、ＨＤＭＩケーブルで接続される。ＡＶデータ８６は、トランスミッタ部８３から、レシーバ部８４側への一方方向だが、後述するＤＤＣライン８７と、ＣＥＣライン８８は双方向である。ＣＥＣ（Ｃｏｎｓｕｍｅｒ  Ｅｌｅｃｔｒｏｎｉｃｓ  Ｃｏｎｔｒｏｌ）ライン８８は、機器の制御信号を伝送するもので、電源のオンオフや、出力チャンネル設定変更などのコマンドを伝送する。ＤＤＣ（Ｄｉｓｐｌａｙ  Ｄａｔａ  Ｃｈａｎｎｅｌ）ライン８７は、ディスプレイやアンプなどの制御信号を伝送するものである。
【００４３】
ソース部８１は、シンク部８２を特定する情報を求める制御コマンドを、ＤＤＣライン８７から送信する。すると、機器固有情報部１１に該当するＥＤＩＤ（Ｅｘｔｅｎｄｅｄ    
Ｄｉｓｐｌａｙ  Ｉｄｅｎｔｉｆｉｃａｔｉｏｎ  Ｄａｔａ）ＲＯＭ８５から、自己の装置の機器ＩＤとともに、機器固有情報としてソース部８１に送信する。
【００４４】
図４は、ＥＤＩＤのデータ構成例を示したものである。主に、ビデオデータブロック、オーディオデータブロック、スピーカ配置データブロック、メーカー固有情報（Ｖｅｎｄｏｒ  Ｓｐｅｃｉｆｉｃ  Ｄａｔａ）ブロックの４つのブロックから構成される。
【００４５】
本実施の説明では、オーディオに関するブロックを詳細に説明する。オーディオデータブロックは、このレシーバが再生できるオーディオ情報が格納されている。各種復号可能なオーディオデコーダ種別情報や、そのデコード情報に関連する再生チャンネル数や、サンプリング周波数、量子化データビット長、圧縮レート情報などが格納されている。またスピーカ配置ブロックは、レシーバが出力可能なスピーカ（フロントスピーカ、リアスピーカ、センタースピーカなど）配置情報が格納されている。
【００４６】
これらのＥＤＩＤ情報を、機器ＩＤとともに、記憶手段であるメモリ部４にＥＤＩＤＲＯＭ８５情報として格納しておけばよい。電源投入時に、送信部は、受信部の機器ＩＤさえわかれば、受信機を特定することができる。
【００４７】
このように、情報獲得部８は、機器固有情報部１１から、機器ＩＤを受け取る。制御手段であるＣＰＵ部３は、獲得した機器を、メモリ部４である内部メモリまたは外部のメモリカード等に規定されたテーブルを参照する。例えば図６のように、テーブルには、機器ＩＤと各種再生オーディオ情報との対応が記述されている。そして、機器ＩＤおよびそのテーブルに基づいて、出力機２０の有する出力可能フォーマット情報を得ることができる。これら獲得した情報は、データ処理装置内でデフォルト設定値として保存しておく構成にしておけば、機器接続が変わらない限りいつも同じ状態でのＡＶ再生を行うことができる。接続機器ＩＤ等の変更があれば、その都度相手機器側の情報を受け、設定を変更すればよいソース側は、ＥＤＩＤ情報を、機器固有情報として受け取ることにより、メモリ部４の内容を更新すればよい。
【００４８】
これらの外部接続機器には、ＴＶなどのモニタ出力機器や、オーディオ出力アンプ、ＡＶセレクタ機能を有するＡＶアンプなどのインターフェース機器、携帯型出力機器、車載用ＡＶ再生機器などが想定される。
【００４９】
受信部１２に受信されたオーディオデータが、ＰＣＭデータである場合は、そのまま出力部１３へ送られる。一方符号化されたエンコードデジタル信号であるストリーム形式のデータであった場合は、デコード処理を行ってＰＣＭデータに復号化したあとで、出力部１３へおくられる。そして出力部１３に接続されるスピーカ部（図示せず）から、再生音声が出力されるものである。
【００５０】
次に、図７を用いて再生機１０のＣＰＵ部３が、送信部７から出力する出力フォーマットを選択する処理ルーチンについて説明する。これは、アンテナ２より入力されたデジタルＴＶ音声（以下ＤＴＶと略す）について、ステップＳ４０１で、入力部２がそのデコード音声種別情報を取得する。日本国内のＢＳデジタル放送の場合は、ＡＡＣ（Ａｄｖａｎｃｅｄ  Ａｕｄｉｏ  Ｃｏｄｉｎｇ）と呼ばれる符号化方式でエンコードされている。
【００５１】
出力機２０側の機器ＩＤ情報を、先に説明したＨＤＭＩインターフェースを介して受け取り、ステップＳ４０２にて、メモリ部４に格納されている情報と比較する。一致する情報があれば、機器ＩＤに該当する出力可能フォーマット情報を読み出す。一方一致する機器ＩＤがなければ、ステップＳ４０３にて、出力機２０側の出力可能フォーマットなどの出力音声情報を取得する。
【００５２】
ここでは、図4のＡｕｄｉｏ  Ｄｅｓｃｒｉｐｔｏｒ９２の内容の情報が、機器ＩＤに関連付けられて、再生機１０側にメモリされている場合を想定して説明する。
【００５３】
ステップＳ４０４にて、出力可能フォーマットにＡＡＣ方式が存在するかどうかを判断する。ＡＡＣ方式とよばれるエンコードデジタル信号であるストリーム形式のデータを伝送し、出力機２０側でそれをデコード可能と判断された場合は、ステップＳ４０５にて、デコード部６にて、ＡＡＣ方式のストリームをリニアＰＣＭ（以下ＬＰＣＭと略）にデコード変換することなく、エンコードデジタル信号であるストリーム形式のデータの状態のままで送信部７へ出力する設定をＣＰＵ部３が指定する。
【００５４】
一方、出力機２０側が、ＡＡＣ方式で受け取れない場合は、ＬＰＣＭのうちで、マルチチャンネル方式で受信できるかどうかを、ステップＳ４０６にて判断する。もし、マルチチャンネル方式で受信できる場合は、ステップＳ４０７にて、デコード部６で、ＡＡＣ方式で符号化された５．１ｃｈなどのサラウンド放送を、マルチチャンネル出力フォーマットでデコード出力設定し、出力フォーマット設定関数Ｆ５００の処理を施す。出力フォーマット設定関数Ｆ５００については、後で説明する。
【００５５】
出力機２０側がマルチチャンネル方式で受信できない場合は、ＬＰＣＭの２チャンネル出力設定が選ばれる。ステップＳ４０８で、ＡＡＣ方式で符号化された５．１ｃｈなどのサラウンド放送についても、チャンネル数変換手段（図示せず）によるマルチチャンネルをステレオ２チャンネル音声にダウンミックス処理（複数チャンネルの出力音声を２チャンネルの出力音声に合成加算する処理）を行うことによって、２チャンネル出力フォーマットで出力設定し、出力フォーマット設定関数Ｆ５００の処理を施す。
【００５６】
出力フォーマット関数Ｆ５００について、図１０を用いて説明する。出力チャンネル数の設定は、この関数が呼び出される前に決定されているが、ＬＰＣＭで出力するオーディオデータのサンプリングレートをこの中で選択するものである。まずステップＳ５０１にて、出力機２０側で、サンプリング周波数１７６ＫＨｚ（正確に言えば、４４．１ＫＨｚの４倍にあたる１７６．４ＫＨｚであるがここでは１７６ＫＨｚと略して説明する）、または１９２ＫＨｚが扱えるかどうかを判断する。出力機２０側で扱える場合は、ステップＳ５０２にて、デコードした音声データが１７６ＫＨｚか以上かどうかを判断する。１７６ＫＨｚ以上である場合は、ステップＳ５０３にてソースレートそのままのサンプリングレートにて出力設定を行う。日本国内のＢＳデジタル放送の場合は、４８ＫＨｚである場合が多いため、ステップＳ５０２では、１７６ＫＨｚ未満と判定される。ステップＳ５０４では、デコード部６内のサンプリング変換手段にてアップサンプリングを行うフィルタ処理を行うことによって、４８ＫＨｚの４倍の１９２ＫＨｚで出力するデータへサンプリング処理を行い、サンプリング周波数１９２ＫＨｚでのオーディオデータとして出力するように設定される。
【００５７】
ステップＳ５０１にて、出力機２０側が、１７６ＫＨｚもしくは１９２ＫＨｚのサンプリング周波数データを扱えない場合は、ステップＳ５０５にて、８８ＫＨｚ（正確に言えば、４４．１ＫＨｚの２倍の８８．２ＫＨｚ）、または９６ＫＨｚのサンプリング周波数が扱えるかどうかを判断する。扱える場合は、ステップＳ５０６にて、デコードした音声データが１７６ＫＨｚ以上かどうかを判断する。１７６ＫＨｚ以上である場合は、そのままのサンプリング周波数では出力機２０側で処理できないために、サンプリング変換手段によりステップＳ５０７にてソースのダウンサンプリング出力設定を行う。デコード部６にて、８８ＫＨｚまたは９６ＫＨｚにて出力を行うダウンサンプリングフィルタ処理を行って出力するように設定される。
【００５８】
ステップＳ５０６にて、サンプリング周波数が１７６ＫＨｚ未満のソースである場合、ステップＳ５０８にて、デコードした音声データが８８ＫＨｚ以上かどうかを判断する。８８ＫＨｚ以上である場合は、ステップＳ５０９にてソースレートそのままのサンプリングレートにて出力設定を行う。一方、８８ＫＨｚ未満のソースの場合、ステップＳ５１０では、デコード部６にてアップサンプリングを行うフィルタ処理を行うことによって、２倍のサンプリングレートで出力するデータへサンプリング処理を行い、サンプリング周波数８８ＫＨｚまたは９６ＫＨｚでのオーディオデータとして出力するように設定される。
【００５９】
ステップＳ５０５にて、出力機２０側で、８８ＫＨｚ未満のサンプリング周波数のデータしか扱えない場合は、３２ＫＨｚまたは４４ＫＨｚ（正確には４４．１ＫＨｚ）、または４８ＫＨｚのサンプリング周波数のいずれかでの出力を行う出力設定が成される。ソースレートが４８ＫＨｚを超えるサンプリング周波数の場合であっても、デコード部６にてダウンサンプリング処理を行うことにより、出力機２０側で扱えるサンプリング周波数データとして出力される。
【００６０】
実施の形態１では、再生機１０側で再生する元のエンコードデジタル信号が、ＡＡＣ方式など圧縮符号化された１種類のみの場合を説明してきた。音声圧縮符号化方式には、ＡＡＣ方式以外でも、ＤＴＳ方式（Ｄｉｇｉｔａｌ  Ｔｈｅａｔｅｒ  Ｓｙｓｔｅｍｓ社が開発した音声符号化方式）、ドルビーデジタル方式などがあるが、本実施の形態１では、1種類の圧縮符号化方式でのみエンコードデジタル化されているコンテンツを再生したときの再生方法を説明した。
【００６１】
再生機１０は、出力機２０の再生情報を獲得し、まずエンコードデジタル信号を受信しデコードできる環境があるかないか、次にＬＰＣＭ形式でのマルチチャンネル（３チャンネル以上）で受信再生できるか否か、できなければ２チャンネルでの受信再生を選択する。さらに、より高音質による再生が、利用者より求められる場合においては、再生機１０側において、エンコードデジタル信号をデコードした場合に、もとのサンプリング周波数が高ければ、それを低いレートに落とすことなく出力することが好ましい。また再生機１０側において、アップサンプリングなどのフィルタ処理を施すことによって、より高音質の音声の再生を実現することができる。よって、高音質での音声出力を達成するためには、出力機２０側で受信再生できるサンプリング周波数設定の情報を、再生機１０側が獲得し、より高いサンプリング周波数で出力することに意味がある。
【００６２】
また、ビット長についても同様である。エンコードデジタル信号をデコードしたときのビット長（例えば２４ビット）も、出力機２０側で受信再生が可能であれば、２４ビットのまま伝送することが好ましい。もちろん別の出力機に接続し、相手側が１６ビットでしか受信再生できない場合は、再生機１０側は、その情報を入手することによって、１６ビットにまるめて出力することが望まれる。
【００６３】
できるだけもとのエンコードデジタル信号の音声情報を残したままで出力機２０側に出力することにより、コンテンツ製作者が意図した原音に少しでも近づけた再生環境を実現しようとするものである。
【００６４】
以上のように、本発明の実施例１によれば、音声出力手段側のデコード情報などの出力情報が、再生手段側の再生選択とし再生条件を整える機能を有することによって、利用者が再生手段側や音声出力手段側の再生条件を変更せずとも、音楽等を楽しめる音声再生装置を提供することができる。
【００６５】
（実施の形態２）
本発明の実施の形態２による音声再生装置について説明する。実施の形態１との相違点を中心に、以下に説明する。構成例は、実施の形態１と同様で、図１、図２、及び図３を用いて説明する。
【００６６】
以下、図８を用いて再生機１０のＣＰＵ部３が、送信部７から出力する出力フォーマットを選択する処理ルーチンについて説明する。コンテンツから再生する場合に、エンコードデジタル信号が、圧縮符合化された例えばＡＡＣ方式と、単に非圧縮でかつ符号化されたＬＰＣＭ方式の２つから、任意の方式を選択し再生できるような場合の処理内容について説明する。
【００６７】
これは、光ディスク１再生などから入力されたエンコードデジタル信号について、ステップＳ４２１で、入力部２がそのデコード音声種別情報を取得する。ここでは、圧縮符号化されたＡＡＣ方式と、非圧縮で符号化されたＬＰＣＭ方式でエンコードされている。
【００６８】
実施の形態１と同様に、出力機２０側の機器ＩＤ情報を、先に説明したＨＤＭＩインターフェースを介して受け取り、ステップＳ４２２にて、メモリ部４に格納されている情報と比較する。一致する情報があれば、機器ＩＤに該当する出力可能フォーマット情報を読み出す。一方一致する機器ＩＤがなければ、ステップＳ４２３にて、出力機２０側の出力可能フォーマットなどの出力音声情報を取得する。
【００６９】
そして、ＬＰＣＭによるマルチチャンネル方式で受信できるかどうかを、ステップＳ４２４にて判断する。もし、マルチチャンネル方式で受信できる場合は、ステップＳ４２５にて、ＬＰＣＭによるマルチチャンネル出力フォーマットでデコード出力設定し、出力フォーマット設定関数Ｆ５００の処理を施す。
【００７０】
ステップＳ４２４にて、マルチチャンネル方式で受信できない場合は、ステップＳ４２６にて、ＡＡＣ方式が存在するかどうかを判断する。ＡＡＣ方式とよばれるエンコードデジタル信号であるストリーム形式のデータを伝送し、出力機２０側でそれをデコード可能と判断された場合は、ステップＳ４２７にて、デコード部６にて、ＡＡＣ方式のストリームをＬＰＣＭに変換することなく、エンコードデジタル信号であるストリーム形式のデータの状態のままで送信部７へ出力する設定をＣＰＵ部３が指定する。
【００７１】
出力機２０側が、ＡＡＣ方式で受け取れない場合は、ＬＰＣＭの２チャンネル出力設定が選ばれる。ステップＳ４２８で、ＬＰＣＭでのマルチチャンネルをステレオ２チャンネル音声にダウンミックス処理（複数チャンネルの出力音声を２チャンネルの出力音声に合成加算する処理）を行うことによって、２チャンネル出力フォーマットで出力設定し、出力フォーマット設定関数Ｆ５００の処理を施す。
【００７２】
これは、コンテンツの再生時に、非圧縮の符号化データと、圧縮された符号化データの両方が選べる場合においては、ＨＤＭＩ等を介して、出力機２０側の再生環境情報を獲得しながら、非圧縮でかつマルチチャンネル再生を選択することによって、高音質再生を実現しようとするものである。
【００７３】
なお、出力機２０側が、ＬＰＣＭによるマルチチャンネル方式で受信できない場合において、再生機１０側に符号化音声データをデコードしたものをマルチチャンネルで再エンコードする機能を有する場合には、出力機２０側でデコードできる符号化方式で再エンコードすることが望ましい。つまり、コンテンツを再生したときに、出力機２０側でデコードできない符号化方式であったとしても、再生機１０側で、出力機２０側でデコードできる再符号化手段（エンコーダ）を有する場合には、その再符号化手段により符号化した音声データを送信部７より出力すればよい。
【００７４】
さらに、複数の再生コンテンツを合成して再生し、出力機２０側に出力したい場合は、以下のように構成する。まず、出力機２０の機器固有情報部１１から、再生条件を獲得し、ＬＰＣＭのマルチチャンネルで受信再生可能かどうかを判断する。可能であれば、再生機１０側で複数の符号化データをデコードして音声合成し、ＬＰＣＭのマルチチャンネルの形態で送信部７から出力する。次に、ＬＰＣＭのマルチチャンネルが受信再生不可であれば、再生機１０側のマルチチャンネルで符号化可能な符号化変換手段(図示せず)により、出力機２０側でデコード可能な符号化方式で再エンコードした形態で送信部７から出力する。再生機１０内に、出力機２０側ではデコードができない符号化方式への符号化変換手段しかない場合、もしくは符号化変換手段を有しない場合は、複数のコンテンツを、各々２チャンネルの出力音声にダウンミックスした上で、合成し、２チャンネル出力フォーマットの形態で送信部７から出力する。このようにすれば、再生機１０側で同時に複数の符号化音声を再生する場合においても、出力機２０側の再生条件情報を獲得することによって、合成された音声をできるだけマルチチャンネルの状態で楽しむことができる。
【００７５】
（実施の形態３）
本発明の実施の形態３による音声再生装置について説明する。実施の形態１との相違点を中心に、以下に説明する。構成例は、実施の形態１と同様で、図１、図２、及び図３を用いて説明する。
【００７６】
以下、図９を用いて再生機１０のＣＰＵ部３が、送信部７から出力する出力フォーマットを選択する処理ルーチンについて説明する。コンテンツから再生する場合に、エンコードデジタル信号が、複数の圧縮符合化された方式（例えば、ＤＴＳ方式とドルビーデジタル方式など）から、任意の方式を選択し再生できるような場合の処理内容について説明する。圧縮符号化されたデータは複数あるが、非圧縮符号化方式のデータはない場合を想定している。
【００７７】
これは、光ディスク１再生などから入力されたエンコードデジタル信号について、ステップＳ４６１で、入力部２がそのデコード音声種別情報を取得する。ここでは、圧縮符号化されたＤＴＳ方式と、圧縮符号化されたドルビーデジタル方式でエンコードされている。
【００７８】
実施の形態１と同様に、出力機２０側の機器ＩＤ情報を、先に説明したＨＤＭＩインターフェースを介して受け取り、ステップＳ４６２にて、メモリ部４に格納されている情報と比較する。一致する情報があれば、機器ＩＤに該当する出力可能フォーマット情報を読み出す。一方一致する機器ＩＤがなければ、ステップＳ４６３にて、出力機２０側の出力可能フォーマットなどの出力音声情報を取得する。
ステップＳ４６４にて、出力可能フォーマットにＤＴＳ方式が存在するかどうかを判断する。ＤＴＳ方式とよばれるエンコードデジタル信号であるストリーム形式のデータを伝送し、出力機２０側でそれをデコード可能と判断された場合は、ステップＳ４６５にてさらに、公知に説明されているような、ＤＴＳ方式のなかで、さらに詳細なＤＴＳ−ＨＤ方式などのデコード方式を調べる。
【００７９】
例えば、図５は、メモリ部４内に格納されたＡｕｄｉｏ  Ｄｅｓｃｒｉｐｔｏｒ９２１の情報を示している。ここには、圧縮符号化されたエンコードデジタル信号であるＤＴＳ方式の場合、さらに詳細なデコード制約条件情報を参照する場合を示している。
【００８０】
図５において、ドルビーデジタル方式及びＤＴＳ方式の２方式において、各種の制約条件として、再生チャンネル数や、サンプリングレート、上限圧縮ビットレートを示している。これらは、出力機２０側から、ＨＤＭＩ等を介して入手したものである。図５をみれば、例えばＤＴＳ方式において詳細な複数の再生条件が示されていることがわかる。これらの出力機２０側の再生環境、つまりデコード条件のうちで、最も再生可能チャンネル数が多く、サンプリングレートや、圧縮ビットレートが高いものが再生可能であれば、そちら側を優先して選択すれば、より高音質な音声再生環境を整えることができる。
【００８１】
ステップＳ４６５において、ＤＴＳ方式であるコンテンツを再生するときに、ＤＴＳ−ＨＤ方式と呼ばれる高サンプリングレート及び高い圧縮ビットレートを有する再生が、出力機側で可能であり、かつエンコードデジタル信号が、ＤＴＳ−ＨＤ方式でエンコードされているかどうかを判断し、両方がかなえられていれば、ステップＳ４６６にて、ＤＴＳ−ＨＤ方式のエンコードデジタル信号のストリームデータを出力設定する。一方、どちらかが、かなえられていなければ、図９では、ＤＴＳ（ｃｏｒｅ）と記述している通常のＤＴＳ方式でのエンコードデジタル信号のストリームデータを出力設定する。
【００８２】
同様にして、ステップＳ４６８にて、出力機２０側で、ドルビーデジタル方式でエンコードされたデジタル信号が受信再生できるかどうか判断する。可能であれば、ステップＳ４６９にて、ドルビーデジタル方式のうちで、多チャンネルかつ高い圧縮ビットレートであるドルビーデジタルプラス（ＤＤ＋と略す）が受信再生可能で、かつコンテンツから読み出したエンコードデジタル信号が、ＤＤ＋方式でエンコードされているかどうかを判断する。条件が合致していればステップＳ４７０にて、ＤＤ＋方式でのエンコードデジタル信号のストリームデータを出力設定する。条件が合致していなければ、通常のドルビーデジタル方式であるＡＣ−３（商標）でエンコードデジタル信号を出力するよう設定する。
【００８３】
出力機２０側にて、ＤＴＳ方式及びドルビーデジタル方式で受け取れない場合は、再生機１０側のデコード部６にてこれらをデコードし、ＬＰＣＭの音声データにする。そして、ＬＰＣＭの形式で、マルチチャンネル方式で受信できるかどうかを、ステップＳ４７２にて判断する。もし、マルチチャンネル方式で受信できる場合は、ステップＳ４７３にて、デコード部６で、マルチチャンネル出力フォーマットでデコード出力設定し、出力フォーマット設定関数Ｆ５００の処理を施す。
【００８４】
出力機２０側がマルチチャンネル方式で受信できない場合は、ＬＰＣＭの２チャンネル出力設定が選ばれる。ステップＳ４７４で、マルチチャンネルの再生信号についても、ステレオ２チャンネル音声にダウンミックス処理（複数チャンネルの出力音声を２チャンネルの出力音声に合成加算する処理）を行うことによって、２チャンネル出力フォーマットで出力設定し、出力フォーマット設定関数Ｆ５００の処理を施す。
【００８５】
コンテンツの再生時に、非圧縮の符号化データがなく、圧縮された符号化データが複数選べる場合において、ＤＴＳ方式と、ドルビーデジタル方式の両方が選べる場合には、圧縮された符号化レートが高い方式（例えば、ＤＴＳ方式が１.５Ｍビット／秒で、ドルビーデジタル方式が４４８Ｋビット／秒である場合はＤＴＳ方式を指す）を選択するように予め利用者が優先順位の選択基準を設定できるようなアルゴリズムを採用してもよい。
【００８６】
これは、コンテンツの再生時に、非圧縮の符号化データがなく、圧縮された符号化データが複数選べる場合においては、ＨＤＭＩ等を介して、出力機２０側の再生環境情報を獲得し、圧縮ビットレートが高いか、サンプリングレートが高いか、再生チャンネル数が多いかなどの判断基準により、より高音質再生を実現しようとするものである。
【００８７】
（実施の形態４）
本発明の実施の形態４による音声再生装置について説明する。実施の形態１との相違点を中心に、以下に説明する。構成例は、実施の形態１と同様で、図１、図２、及び図３を用いて説明する。
【００８８】
以下、再生機１０のＣＰＵ部３が、送信部７から出力する出力フォーマットを選択する処理ルーチンについて説明する（図はなし）。本形態では、コンテンツから再生する場合に、エンコードデジタル信号が、複数の圧縮符合化された方式（例えば、ＤＴＳ方式とドルビーデジタル方式など）と、非圧縮符号化方式とから、任意の方式を選択し再生できるような場合の処理内容について説明する。
【００８９】
これは、光ディスク１再生などから入力されたエンコードデジタル信号について、まず入力部２がそのデコード音声種別情報を取得する。ここでは、圧縮符号化されたＤＴＳ方式及びドルビーデジタル方式と、非圧縮で符号化されたＬＰＣＭ方式でエンコードされていると仮定する。
【００９０】
実施の形態１と同様に、出力機２０側の機器ＩＤ情報を、先に説明したＨＤＭＩインターフェースを介して受け取り、メモリ部４に格納されている情報と比較する。一致する情報があれば、機器ＩＤに該当する出力可能フォーマット情報を読み出す。一方一致する機器ＩＤがなければ、出力機２０側の出力可能フォーマットなどの出力音声情報を取得する。
【００９１】
そして、まず、ＬＰＣＭによるマルチチャンネル方式で受信できるかどうかを、判断する。マルチチャンネル方式で受信できる場合は、デコード部６で、ＬＰＣＭ方式のマルチチャンネル出力フォーマットでデコード出力設定する。
【００９２】
マルチチャンネル方式で受信できなければ、実施の形態３で説明したように、ＤＴＳ方式やドルビーデジタル方式を用いたエンコードデジタル信号をデコードできる環境にあるかどうかを判断する。ＤＴＳ方式及びドルビーデジタル方式の両方が不可能であれば、ＬＰＣＭの２チャンネル出力設定が選ばれる。ＬＰＣＭでのマルチチャンネルをステレオ２チャンネル音声にダウンミックス処理（複数チャンネルの出力音声を２チャンネルの出力音声に合成加算する処理）を行うことによって、２チャンネル出力フォーマットで出力設定する。
【００９３】
これは、コンテンツの再生時に、非圧縮の符号化データと、圧縮された符号化データの両方が選べる場合においては、ＨＤＭＩ等を介して、出力機２０側の再生環境情報を獲得しながら、非圧縮でかつマルチチャンネル再生を選択することによって、高音質再生を実現しようとするものである。
【００９４】
（実施の形態５）
本発明の実施の形態５による音声再生装置について説明する。実施の形態１との相違点を中心に、以下に説明する。構成例は、実施の形態１と同様で、図１、図２、及び図３を用いて説明する。
【００９５】
以下、再生機１０のＣＰＵ部３が、送信部７から出力する出力フォーマットを選択する処理ルーチンについて説明する（図はなし）。本形態では、コンテンツから再生する場合に、エンコードデジタル信号が、複数の圧縮符合化された方式（例えば、ＤＴＳ方式とドルビーデジタル方式など）と、可逆圧縮符号化方式とから、任意の方式を選択し再生できるような場合の処理内容について説明する。
【００９６】
これは、光ディスク１再生などから入力されたエンコードデジタル信号について、まず入力部２がそのデコード音声種別情報を取得する。ここでは、圧縮符号化されたＤＴＳ方式及びドルビーデジタル方式と、可逆圧縮で符号化されたＭＬＰ（Ｍｅｒｉｄｉａｎ  Ｌｏｓｓｌｅｓｓ  Ｐａｃｋｉｎｇ）方式でエンコードされていると仮定する。この可逆圧縮とは、圧縮された符号化情報も復号化すれば、完全にオリジナルの非圧縮符号化データに復元できる符号化方式で圧縮されるものである。逆にＤＴＳ方式やドルビーデジタル方式は、復号化しても完全にオリジナルの非圧縮符号化データにもどらない圧縮方式を採用している。こちら側は、非可逆圧縮と呼ばれるものである。
【００９７】
実施の形態１と同様に、出力機２０側の機器ＩＤ情報を、先に説明したＨＤＭＩインターフェースを介して受け取り、メモリ部４に格納されている情報と比較する。一致する情報があれば、機器ＩＤに該当する出力可能フォーマット情報を読み出す。一方一致する機器ＩＤがなければ、出力機２０側の出力可能フォーマットなどの出力音声情報を取得する。
【００９８】
そして、まず、ＭＬＰによるマルチチャンネル方式で受信できるかどうかを、判断する。マルチチャンネル方式で受信できる場合は、デコード部６で、ＭＬＰ方式でデコード出力設定する。
【００９９】
ＭＬＰ方式で受信できなければ、実施の形態３で説明したように、ＤＴＳ方式やドルビーデジタル方式を用いたエンコードデジタル信号をデコードできる環境にあるかどうかを判断する。ＤＴＳ方式及びドルビーデジタル方式の両方が不可能であれば、ＬＰＣＭの２チャンネル出力設定が選ばれる。各符号化方式を復号化したマルチチャンネルをステレオ２チャンネル音声にダウンミックス処理（複数チャンネルの出力音声を２チャンネルの出力音声に合成加算する処理）を行うことによって、２チャンネル出力フォーマットで出力設定する。
【０１００】
これは、コンテンツの再生時に、非可逆圧縮の符号化データと、可逆圧縮された符号化データの両方が選べる場合においては、ＨＤＭＩ等を介して、出力機２０側の再生環境情報を獲得しながら、可逆圧縮再生でかつマルチチャンネル再生を選択することによって、高音質再生を実現しようとするものである。
【０１０１】
以上は、出力機２０側でデコード可能な方式情報を、再生機１０側が獲得することにより、出力機２０側で再生可能なフォーマットでデコードし出力処理設定を施して出力することを説明してきた。またできるだけ高音質で再生する環境をできるような選択を施す処理の実現方法について説明してきた。
【０１０２】
しかし、再生機１０側より、出力機２０側に伝送する伝送路の帯域が少ない場合などは、ＬＰＣＭではなく、符号化されたストリームの状態で出力するほうが都合がよい。このような場合には、まずエンコードデジタル信号である符号化されたストリームでの信号を受信再生できるかどうかをまず判断し、つぎに２チャンネルでのＬＰＣＭでの転送を選択するように構成すればよい。つまり伝送帯域に制限がある場合は、圧縮符号化された圧縮ビットレートの低い方式を有する音声データを優先して出力することにより、音声情報量をできるだけ少なくして伝送することで、伝送路でのデータ伝送のトラヒックの低減に寄与することができる。
【０１０３】
この音声再生装置の再生手段側の適用例としては、ＳＴＢ、デジタル衛星放送受像機及びその記録機器、ＤＶＤプレーヤもしくはＤＶＤレコーダの関連機器、その他の光ディスク等の再生機能を有する機器、ハードディスクレコーダ、パーソナルコンピュータなどがあり、音声出力手段側の適用例としては、ＡＶアンプ、映像及び音声出力を有するテレビモニタやプロジェクタ、パーソナルコンピュータなどがある。
【産業上の利用可能性】
【０１０４】
本発明における音声再生装置は、再生機器側と出力機器側間にデジタルインターフェースを有し、出力機器側の音声再生条件を元に、再生機器側でデジタル符号化された複数の符号化音声信号から再生するため、出力機器の出力可能条件に合わせた符号化音声信号を選択するといった用途に使用することができる。
【図面の簡単な説明】
【０１０５】
【図１】本発明の実施の形態１に於ける音声再生装置の構成を示す図
【図２】本発明の実施の形態１に於けるビデオとオーディオのデコード構成を示す図
【図３】ＨＤＭＩの構成を示す図
【図４】本発明の実施の形態１に於ける機器固有情報の構成の例を示す図
【図５】本発明の実施の形態１に於ける機器固有情報の別の構成の例を示す図
【図６】本発明の実施の形態１に於けるメモリに記録された内容の構成の例を示す図
【図７】本発明の実施の形態１に於けるデジタル放送を再生する場合のデコード処理を示す図
【図８】本発明の実施の形態２に於けるデジタル放送を再生する場合のデコード処理を示す図
【図９】本発明の実施の形態３に於けるディスク媒体を再生する場合のデコード処理を示す図
【図１０】本発明の実施の形態１に於けるサンプリング音声処理を示す図
【図１１】従来例のオーディオ機器の構成を示す図
【図１２】従来例の映像受信システムの構成を示す図
【符号の説明】
【０１０６】
１    ディスク再生部
２    アンテナ部
３    ＣＰＵ部
４    メモリ部
５    入力部
６    デコード部
７    送信部
８    情報獲得部
１０    再生機
１１    機器固有情報部
１２    受信部
１３    出力部
２０    出力機
【図１】
2006294120.tif 000003
【図２】
2006294120.tif 000004
【図３】
2006294120.tif 000005
【図４】
2006294120.tif 000006
【図５】
2006294120.tif 000007
【図６】
2006294120.tif 000008
【図７】
2006294120.tif 000009
【図８】
2006294120.tif 000010
【図９】
2006294120.tif 000011
【図１０】
2006294120.tif 000012
【図１１】
2006294120.tif 000013
【図１２】
2006294120.tif 000014